(57)【特許請求の範囲】
【請求項１】
固定義歯用のエノッサル性単一義歯インプラントであり、
顎骨の孔に適切に挿入でき、その環端部の方向に開口した盲穴を有し、シリンダー状の基体（10）を備え、
ねじれ防止して、基体（10）の環状端縁部に適切に配置され、基体の環状端縁部に設けられた中空シリンダー状の環状凹部（14）に適切に挿入される頸状の中心結合部（44）を有するスペーサ（32）を備え、
中央結合部（44）を環端方向に接続し、基体の環状端縁部に適切に配置され、
環端部の向きに開口し埋込支柱を受容する孔（33）を有した肩部（36）を備え、
基体（10）とスペーサ（32）をねじれ防止するように接続するため、周方向に動作可能な基体結合要素（26）を少なくとも一つ有した基体の中空シリンダー状の環状凹部（14）及び、一つかそれ以上の基体結合要素（26）に対し相補的な少なくとも一つのスペーサ結合要素（46）を有する基体スペーサ（32）の中心結合部（44）によって形成される、接続手段を備え、
基体凹部に直接または間接的に適切に挿入可能で、少なくとも部分的にスペーサを介して延び、義歯用の固定ヘッドを有した、埋込支柱を備えた、
単一義歯インプラントにおいて、
一つまたは複数の基体（10）の基体結合要素（26）が、基部（10）の端縁部（22）に直結して、形成結合領域（24）における環状凹部（14）の内壁に備えられること；
環状凹部（14）の縦中心軸線に近い一つまたは複数の基部の基体結合要素（26）の一つまたは複数の導入面が、円柱面上にあること；
円柱面の直径が、滑らかな周壁を有する環状凹部（14）の導入領域（20）の直径に対応すること、
導入領域（20）と比較して小さな直径の環状凹部（14）の中央領域（16）が、環状凹部（14）の導入領域（20）と頸状を成してつながること；
一つまたは複数のスペーサ結合要素（46）が、スペーサ（32）の肩部（36）と中心結合部（44）のシリンダー状外壁に頸状を成して隣接し、形成結合部（38）に備えられていること；
少なくとも一つのスペーサ結合要素が配置され、中心結合部（44）の縦中心軸線に対して径方向に近接した形成結合部（38）の一つまたは複数の周囲面が、シリンダー面に位置し、そこに少なくとも一つのスペーサ結合要素（46）が配置され、シリンダー面の直径が、基体（10）の導入領域（20）の内径に対応すること；
形成結合部（38）が、シリンダー導入部（40）によって頸状を成してつながっており、シリンダー導入部（40）の外径が、基部（10）の導入領域（20）の内径に対応していること；
シリンダー導入部（40）が頸状を成して、シリンダー状の中心部分（42）につながり、中心部分（42）の外形が、基部（10）の中央領域（16）の内径にほぼ対応すること；
を特徴とする単一義歯インプラント。
【請求項２】
基体（10）の中央領域（16）に、内ねじ（18）が設けられていることを特徴とする請求の範囲1に記載の単一義歯インプラント。
【請求項３】
基体（10）の中央領域（16）にもう一つの内ねじ（12）が続いて設けられていることを特徴とする請求の範囲1または2に記載の単一義歯インプラント。
【請求項４】
埋込支柱が、スペーサ（32）を完全に貫通し、かつ基体（10）の頸状端近傍に設けられていて、さらに奥の内ねじ（12）にねじ入れ可能なことを特徴とする請求の範囲３に記載の単一義歯インプラント。
【請求項５】
基体（10）の形成結合要素（26）の少なくとも一つが、基体（10）の縦軸線に平行に備えられている環状で開放された形成結合用のキー溝形状を有することを特徴とする請求の範囲１〜４のいずれか一つに記載の単一義歯インプラント。
【請求項６】
径方向の平面における形成結合用キー溝の横断面が、基本的に円切片状であることを特徴とする請求の範囲５に記載の単一義歯インプラント。
【請求項７】
径方向の平面における形成結合用キー溝の横断面が、基本的に三角形であることを特徴とする請求の範囲５に記載の単一義歯インプラント。
【請求項８】
径方向の平面における形成結合用キー溝の横断面が、ほぼ長方形で湾曲していることを特徴とする請求の範囲５に記載の単体義歯埋込ユニット。
【請求項９】
形成結合用キー溝が、頸状に開放されていることを特徴とする請求の範囲５〜８のいずれか一つに記載の単一義歯インプラント。
【請求項１０】
形成結合用キー溝の横断面が、環端部から頸状端へテーパー状であることを特徴とする請求の範囲５〜９のいずれか一つに記載の単一義歯インプラント。
【請求項１１】
形成結合用キー溝が、環端部から頸状端部へ径方向に先細りとなっていることを特徴とする請求の範囲１０に記載の単一義歯インプラント。
【請求項１２】
複数個の基体形成結合要素を有する単一義歯インプラントであり、基体の形成結合要素（26）が、基体（10）の周囲に関して30°毎に振り分けられて備えられていることを特徴とする請求の範囲１〜１１のいずれか一つに記載の単一義歯インプラント。
【請求項１３】
複数個の基体型結合要素を有する単一義歯インプラントであり、基体の形成結合要素（26）が、基体（10）の周囲に関して60°毎に振り分けられ備えられていることを特徴とする請求の範囲１〜１１のいずれか一つに記載の単一義歯インプラント。
【請求項１４】
複数個の基体形成結合要素を有する単一義歯インプラントであり、スペーサの形成結合要素（46）の個数が、基体の形成結合要素（26）の個数よりも少ないことを特徴とする請求の範囲１〜１３のいずれか一つに記載の単一義歯インプラント。
【請求項１５】
基体結合要素（26）と導入部（20）との間で、基体（10）の形成結合領域（24）に、環状のアンダーカット（30）が設けられていることを特徴とする請求の範囲１〜１４のいずれか一つに記載の単一義歯インプラント。
【請求項１６】
基体（10）の環状凹部（14）の内壁が、基体（10）の頸部の端縁部（22）上端から基体結合要素（26）の範囲まで先細り円錐形のテーパー状で、頸状に面取り（28）が施されていることを特徴とする請求の範囲１〜１５のいずれか一つに記載の単一義歯インプラント。
【請求項１７】
中心結合部（44）の形成結合部（38）が、肩部（36）とスペーサの形成結合要素（46）との間に、環状のアンダーカット（48）を施されていることを特徴とする請求の範囲１〜１６のいずれか一つに記載の単一義歯インプラント。
【請求項１８】
基体（10）の端縁部（22）と、基部（10）における中央領域（16）の頸端部との間の軸線方向の間隔が、形成結合領域（24）の領域で環状凹部（14）の内径よりも大きいことを特徴とする請求項１〜１７のいずれか一項に記載の単一義歯インプラント。
【発明の詳細な説明】
本発明は、義歯固定用のエノッサル性単一義歯インプラントに関する。すなわち、主として、環端部に向かって開放された盲穴を有し、顎骨中に骨穿孔内に埋込可能な円柱状の基体と、頸状の中心結合部を有し、基体の環状端縁部のねじれを防止するように設定可能なスペーサと、その中心結合部が基体の環端部にあらかじめ備えられた中空環状凹部に挿設可能であり、環端方向にその中心結合部と嵌合し、基体の環状端縁部に設置可能な肩部を有し、さらに、環端部に対して埋込支柱取り付け用に穴が設けられていることによりスペーサと基体とのねじれ防止機構が形成されている。すなわち、基体の中空環状凹部は、少なくとも、周囲方向に有効な基体の形成結合要素を有し、スペーサの中心結合部は、少なくとも、基体の形成結合要素、すなわち、基体の盲穴に直接、または間接的に埋め込み可能で、スペーサが、少なくとも部分的に貫通している埋込支柱、ならびに義歯用固定ヘッドに対して、相補的なスペーサの形成結合要素を備えるように形成されている。
この方式による単一義歯インプラントについては、ドイツ特許DE 40 28 955の中から知られてはいるものの、例えば特許出願P 195 09 762.9 - 32の先行特許の対象とはなっていないように、従来においては、ねじれ防止は、次の方法で行われている。すなわち、基体の形成結合要素を基体の環状凹部の底に、この目的のために相補的なスペーサの形成結合要素を中心結合部の頸状端縁部に設ける方法である。この方式による形成結合要素は、加工製造方法が比較的困難であり、この場合、環状凹部、または中心結合部を深さ全体にわたり、基体に対してスペーサの芯出し、固定、および保護が、必ずしも自由にはできないので、多くの応用にはそれほど効果的ではない。
もう１つのエノッサル性義歯埋込の場合も、米国特許US 49 60 381に見られるように、次の理由に起因して同様な困難さが生じる。すなわち、基体の形成結合要素が、その環状端縁部からの距離をおいて、基体の盲穴の内部に位置するということである。
ドイツ特許のDE 41 27 839 A1からは、１つのインプラントが知られており、これによる中央環状凹部は、形成結合要素を有しており、これは基体の前縁部に直接結合され、この場合形成結合要素は、スロット状に構成され、基体内の差込支持部分がそれに対して補助的な形状を有している。この場合、分離される埋込支柱は、設けられてはいない。
本発明は、特に単一義歯インプラントを基に、進んだ加工技術が得られる場合には、基体中にスペーサをより正確に導入し芯出しが確実にできるという趣旨に添ってさらに発展させるものである。
本発明によれば、この問題点は次の手段により解決される。
すなわち、基体の形成結合要素が形成結合領域における環状凹部の内壁に、基体の端縁部に関連して直接同じように備えられ、
環状凹部の縦中心軸線に近い形成結合領域の導入面がシリンダー面上にあり、その直径は、実質的になめらかな内壁を有する環状凹部の結合領域の頸部の径に一致し、
環状凹部の頸状の導入領域には、環状凹部の中央部が導入領域よりも小さい径で結合され、
同様に形成結合部には、スペーサの形成結合要素が、スペーサの肩部に関連して中央結合部のシリンダー状の外壁に設けられ、
中央結合部の縦中心軸線に最も近い径の形成結合部の周囲面は、シリンダー面上にあり、その直径は、基体の導入領域の内径と実質的に一致し、
形成結合部には、シリンダー状の導入部が頸状に結合し、その外径が基体の導入領域の内径と実質的に一致し、そして、
導入部には、シリンダー状の中心部分が頸状に結合し、その外径は基体の中央領域の内径と実質的に対応している、
手段により解決される。
この場合、基体の中央領域には、あらかじめ内ねじを備えることができる。
本発明では、場合によっては、基体の中央領域で頸状に更に内ねじを備えることが考慮されている。
本発明のもう１つの優れた実施形態は、埋込支柱をスペーサに完全に挿通させ、さらに施されている基体の頸端部近くの内ねじにまでねじ込むことが可能なことである。
本発明では、基体の結合要素の少なくとも１つに、基体の縦中心軸線と平行に伸びる環状に開いた形成結合用キー溝を備えることを提案している。
本発明は、さらに、径方向の平面において形成結合用キー溝が、基本的に円形環節状の横断面を有するよう提案している。
この場合、径方向の平面において形成結合用キー溝が、基本的には三角形の横断面を有するようあらかじめ備えることができる。
本発明によるもう１つの提案は、場合により、径方向の平面において形成結合用キー溝が、ほぼ長方形でアーチ状に湾曲した横断面を有するものにすることである。
本発明では、さらに、頸状に開放された形成結合用キー溝を設けることも意図されている。
本発明が意図するものとして、形成結合用キー溝は、その環端部から頸状端に対しては細くなった横断面を有する。
この場合、基体の形成結合要素は、基体の周囲に関して30°毎に割り振られて備えることができる。
本発明は、さらに、基体の形成結合要素は、基体の周囲に関して60°毎に割り振られることを提案している。
本発明がさらに意図する点は、スペーサの形成結合要素の数が基体側の結合要素の数より少ないことである。
本発明のもう１つの実施形態の特徴は、基体の形成結合範囲が基体の形成結合要素と導入部分との間に、環状のアンダーカットを有することである。
本発明が意図するところは、また、基体の環状凹部の内壁は、頸状で基体の環状端縁部から基体の形成結合要素範囲までテーパー状先細り面取りを有することである。
本発明の最終的な提案は、中心結合部の形成結合部が、肩部とスペーサの形成結合要素との間に、環状に１つのアンダーカットを有することである。
本発明は、次のような思いがけない認識に基づいている。すなわち分類上、単一義歯インプラント類は従来成功はしていたものの、基体の形状結合要素を、これに対応する相補的なスペーサの形成結合要素を設計改良することと相まって、その環状端縁部の後に連続して配置することによりさらに改善が可能である、という認識である。その結果、基体の環状凹部の全深さに関して、スペーサの芯出しと導入が自由となり、これは、明らかにスペーサと基体との結合の安定性を改善することになる。さらに、形成結合要素を改良することにより、基体の環状凹部、またはスペーサの中央結合部の周囲壁に形成上、割り振りの方法だけでなく形成結合要素の形作りにおいても、より大きな成形の余裕を与えることが可能となる。
ドイツ特許DE 41 27 839 A1で知られ、すでに冒頭で論議した義歯埋込の場合には、形成結合要素は、基体の環状端縁部、またはスペーサの環状肩部のすぐ近くに配置されるが、本紙では本発明の主要内容については特に言及せず、スペーサを貫通する義歯埋込支柱と関連させて、請求の範囲に記載の方法により、形成結合部、導入部、および中心部分等を個別に取り扱う。
以下にいくつかの実施例を概略図に基づき説明する。この場合の概略図として、
第１図は、エノッサル性単一義歯インプラントの基体における一実施例の軸線方向部分断面である。
第２図は、第１図における単一義歯インプラントの義歯を含めたスペーサであり、第１図と対応している。
第３図は、第１図、第２図に示した単一義歯インプラントの基体（ａ）およびスペーサ（ｂ）であり、図１に関しては上から、図２に関しては下から見た図。
第４図は、本発明の他の実施例における基体（ａ）とスペーサ（ｂ）であり、第３図に対応した図である。そして、
第５図は、本発明のもう１つの実施例における基体（ａ）とスペーサ（ｂ）で、第３図と第４図に対応した図である。
第１図から明らかなように、そこに図示した実施例で義歯埋込ユニットは、よく知られた方式による基体１０を有しており、それは、ドイツ特許DEPS 40 28 855に記載されている通りである。
第１図の下部に図示され頸状端が閉鎖されて構成されている基体１０には、第１図の上部にある環端部へ向かって開いた盲穴が設けられている。盲穴の頸状端の近くには、比較的径の小さい内ねじ１２があり、第１図には図示されていないが、埋込支柱をさらに下方へねじ込ませることができるようにように構成されている。基体１０の内ねじ１２には、環端方向に内ねじ１２に対して直径が広い環状凹部１４が接続している。
環状凹部１４は、内ねじ１２に環状接続している中央領域１６に、内ねじ１８を有する。環状凹部１４の中央領域１６には、環端方向に導入領域２０が続いており、この部分で、中央領域１６にかけて広がる径を有する環状凹部１４は、平坦でシリンダー状の内壁を有している。導入領域２０から基体１０の環状端縁部２２までは、環状凹部１４の形成結合領域２４が延びており、その部分において、軸線方向に一定数の形成結合用キー溝が環状凹部１４の内壁に嵌め込まれている。環状凹部１４の形成結合領域２４には、端縁部２２から頸状に円錐テーパー状の面取り部２８が施されており、その面取り部分は、形成結合用キー溝まで延びている。導入領域２０と形成結合用キー溝の間には、環状のアンダーカット３０が施されており、そのアンダーカットは、形成結合用キー溝の加工の際に、切り子の除去を容易にするのに寄与している。
第２図に示したスペーサ３２は、事前公開されていないドイツ特許申請P 195 09 762.9-32に記述されている方法で、ここでは図示されていないが固着している義歯を固定するための固定ヘッドの役目をするもので、義歯用に一周にわたる取付用肩部３４が設けられている。一周にわたる環状肩部として形成されている、基体１０の端縁部２２の上に装着可能な肩部３６に続いて、スペーサ３２は、頸状の形成結合部３８と、導入部４０と、および中心結合部４４の中心部分４２を有している。形成結合部３８には、軸線方向に並んだ一定数のスペーサ結合要素４６が備えられており、それらの突起は、その一定数は必ずしも必要でないにしても、形状と配列は、基体１０の形成結合用キー溝のそれらと一致する。スペーサ３２の形成結合部３８には、肩部３６とスペーサ結合要素４６との間に環状のアンダーカット４８が設けられ、これにより、スペーサ結合要素４６を加工する場合に切り子除去を容易にしている。
軸線の長手方向に１個の穴を設けたスペーサを取り付ける場合、その内径は、ここには図示されてはいないが、埋込支柱の外径に一致し、中心結合部４４の中心部分４２が基体１０の環状凹部１４の中央領域１６に食い込み、この場合、中心部分４２の平坦なシリンダージャケット面は、基体１０内の中央領域１６の内ねじ１８の内部領域内で挿入し組み立てられる。スペーサ３２の導入部４０は、基体１０の導入領域２０にぴったり合うように嵌められる。スペーサ結合要素４６は、形成結合用キー溝へ嵌め込まれるが、一方で、肩部３６は端縁部２２と組合わされる。これにより、スペーサ３２は、ねじれ回転が防止されて基体１０と結合する。スペーサ３２を貫通し、基体１０内の内ねじ１２にねじ込まれるインプラントの支柱を用いることにより、スペーサ３２は、基体１０にしっかりと結合する。第１図および第２図に示したものとは別の実施例では、基体１０の内ねじ１８は、他の方式で組み立てられたスペーサ、たとえば、ドイツ特許DE-PS 40 28 855で知られているように、２分割したものにも適用可能である。
第３図ａ）に示すように、基体１０は、その形成結合領域に60°毎に６個の形成結合用キー溝が備えられており、それらは図示した実施例においては、長手方向の縁が湾曲しているが、長方形の断面形状が接線方向に並んでいる。第３図ｂ）では、第１図および第２図の実施例の場合のスペーサ３２は、軸線方向に６個のスペーサ結合要素４６を備えている。第４図の実施例では、基体１０は、第４図に示すように、30°毎の割り振りで、12個の形成結合用キー溝を備えており、一方、第４図ｂ）では、スペーサ３２は、たった４個のスペーサ結合要素４６を備えているだけである。形成結合用キー溝とスペーサ結合要素４６は、この場合、基体、あるいはスペーサの縦軸線に対して垂直な平面は、三角形の断面を有する。留意すべきは、スペーサ３２は、ここでは単に４個のスペーサ結合要素４６を90°毎に有するだけである。
第５図の実施例においては、基体１０は、30°毎に12個の形成結合用キー溝を基体１０の縦軸線に対して垂直な平面は円の切片状である。図５ｂ）では、スペーサ３２は、６個のスペーサ結合要素に対応する断面を備えている。
基体１０、あるいはスペーサ３２の分割または割り振り関係によって、スペーサ３２は、基体１０へそれぞれ異なる回転調整で取付可能となり、治療医は、これにより、いくつかの治療形態の選択肢が得られることになる。
上記の説明、図示、並びに主張の中で明らかにした本発明の特徴は、本発明を実施するのに、個別的、また任意の組合せによる実施例においても基本的に必要となるものである。
【図１】
0004065562.tif 000002
【図２】
0004065562.tif 000003
【図３】
0004065562.tif 000004
【図４】
0004065562.tif 000005
【図５】
0004065562.tif 000006